(57)【要約】【課題】切断機本体を切断進行方向に沿ってスライドさせることができる卓上切断機において、従来スライド機構をロックするために使用者は手を伸ばしてストッパねじを何回も回転操作する必要があり、この点で操作性がよくなかった。本発明ではスライドロック機構の操作性をよくする。【解決手段】使用者の手元にスライド操作する操作部材５１ａを配置し、これをスライド操作するとラック５２が移動してピニオンギヤ５３が回転することによりストッパねじ５５が締め込み方向、緩み方向に回転してスライドバー１１，１１のスライド動作がロック、アンロックされる構成とする。【選択図】図２
2010017828.tif 000002
【特許請求の範囲】
【請求項１】
切断材を載置するテーブルと、該テーブルの上方において上下に移動操作可能に支持された切断機本体を備えた卓上切断機であって、
前記切断機本体は、スライド機構を介してテーブル面方向の前後にスライド可能、かつスライドロック機構により任意のスライド位置に固定可能であり、該スライドロック機構のロック、アンロック操作を操作部材のスライド操作により行う構成とした卓上切断機。
【請求項２】
請求項１記載の卓上切断機であって、前記操作部材が前記切断機本体のスライド方向で使用者の手前側に配置されて、使用者は前記スライドロック機構のロック、アンロック操作を手元操作により行う構成とした卓上切断機。
【請求項３】
請求項１又は２記載の卓上切断機であって、前記スライド機構は、前記テーブルの下面に沿ってスライド可能に支持したスライドバーを介して前記切断機本体を前記テーブル面方向にスライド可能に支持した構成を備え、前記スライドロック機構は、前記スライドバーに突き当てて該スライドバーのスライド動作を規制するロック位置と規制しないアンロック位置との間を移動するストッパ部材と、該ストッパ部材を該ロック位置と該アンロック位置とに移動させるストッパ移動機構を備えた卓上切断機。
【請求項４】
請求項３記載の卓上切断機であって、前記ストッパ部材としてストッパねじを用い、前記ストッパ移動機構として前記ストッパねじに取り付けたピニオンギヤと該ピニオンギヤに噛み合うラックを用い、該ラックを前記操作部材のロック側へのスライド操作により移動させて前記ストッパねじを締め込んで前記ロック位置に移動させ、該ラックを前記操作部材のアンロック側へのスライド操作により移動させて前記ストッパねじを緩めて前記アンロック位置に移動させる構成とした卓上切断機。
【請求項５】
請求項４記載の卓上切断機であって、前記操作部材が前記切断機本体のスライド方向で使用者の手前側に配置され、該操作部材のスライド操作を作動レバーを介して前記ラックに伝達する構成として前記スライドロック機構のロック、アンロック操作を手元操作により行う構成とした卓上切断機。
【請求項６】
請求項３記載の卓上切断機であって、前記ストッパ部材として前記スライドバーの周囲に配置した円環形のストッパリングを用い、前記ストッパ移動機構により前記ストッパリングをその内周側を前記スライドバーに押圧させてそのスライド動作を規制するロック位置と、その内周側を前記スライドバーから離間させてそのスライド動作を許容するアンロック位置に移動させる構成とした卓上切断機。
【請求項７】
請求項６記載の卓上切断機であって、前記ストッパリングを２つ備えてそれぞれ内周側に前記スライドバーを挿通させて、前記ストッパ移動機構により該両ストッパリングを前記ロック位置に移動させると、該両ストッパリングが相互に反対側に傾斜してそれぞれの内周側を前記スライドバーに押圧させる構成とした卓上切断機。
【発明の詳細な説明】
【技術分野】
【０００１】
この発明は、例えばスライドマルノコと称される卓上形の切断機に関する。
【背景技術】
【０００２】
この種の卓上切断機は、切断材を載置するテーブルと、このテーブルに対して上下に移動操作可能に支持された切断機本体を備えている。切断機本体は、電動モータを駆動源として回転する円形の切断刃を備えている。この切断機本体を下動させて回転する回転刃を切断材に切り込むことにより切断加工が行われる。切断機本体は、上下に移動操作可能であるとともにテーブル面方向に沿ってスライド可能としたものが提供されている。このスライド機構を備える場合、切断機本体を下動させて回転刃を切断材に切込み、この状態で当該切断機本体をテーブル面方向にスライドさせることにより大型の切断材を切断加工することができる。
切断機本体をテーブル面方向にスライド可能に支持するためのスライド機構としては、テーブルの下面に沿ってスライド可能に支持した相互に平行な２本のスライドバーを備える態様のものが提供されている。このスライド機構を備える場合には、切断機本体を任意のスライド位置にロックするためのスライドロック機構が併設される。従来このスライドロック機構に関する技術が例えば下記の特許文献に開示されている。これらの特許文献に開示されているようにスライドロック機構を備えることにより、テーブル面方向の任意のスライド位置で切断機本体のスライド動作をロックすることができるので、小形の切断材についても迅速かつ確実な切断加工を行うことができる。
【特許文献１】特許第３３４５２３６号公報
【特許文献２】特許第３５４９７３２号公報
【発明の開示】
【発明が解決しようとする課題】
【０００３】
しかしながら、上記従来のスライドロック機構にもさらに改善すべき点があった。例えば、従来のスライドロック機構では、ねじ軸部（ストッパねじ）の回転による軸方向への移動を利用して当該ねじ軸部を直接スライドバーに押し付け、あるいはブロック体等のストッパ部材をスライドバーに押し付けて当該スライド機構の動作をロックする構成であったため、使用者はストッパねじ等のスライドロック用の回転操作部材を指先で摘んで何回も回転させる必要があり、この点でスライドロック機構のロック、アンロック操作が面倒になっていた。
本発明は、係る従来の問題を解消するためになされたもので、スライドロック機構の操作部材を指先１本でも楽にロック、アンロック操作でき、この点でこの種の卓上切断機の操作性をさらに向上させることを目的とする。
【課題を解決するための手段】
【０００４】
このため、本発明は、特許請求の範囲の各請求項に記載した構成の卓上切断機とした。
請求項１記載の卓上切断機によれば、操作部材のスライド操作（レバー操作）によってスライドロック機構をロック、アンロック操作することができる。操作部材のスライド操作は、例えば指先１本のワンタッチ操作で行うことができるので、従来のストッパねじを締め込み方向若しくは緩め方向に何回も回転操作する構成に比して当該スライドロック機構の操作性をよくすることができる。
この明細書において、操作部材のスライド操作には、従来の回転操作を除く操作（非回転操作）であって、当該操作部材を平行移動させる操作の他、傾動操作も含むものとする。また、操作部材の操作方向としては、上下方向又は前後方向又は左右方向とすることができる。
請求項２記載の卓上切断機によれば、使用者はスライドロック機構のロック、アンロック操作を手元操作により行うことができるので、より一層当該スライドロック機構の操作性をよくすることができる。
請求項３記載の卓上切断機によれば、操作部材をロック側にスライド操作すると、ストッパ部材がストッパ移動機構によってロック位置に移動してスライドバーに押し付けられることにより切断機本体のスライド動作が規制される。操作部材をアンロック側にスライド操作すると、ストッパ部材がストッパ移動機構によってアンロック位置に移動してスライドバーに対する押し付けが解除され、若しくはスライドバーから離れることにより切断機本体のスライド動作が許容される。ストッパ移動機構は、ストッパ部材を使用者が手元で遠隔操作するための手段として機能する。
【０００５】
請求項４記載の卓上切断機によれば、操作部材をロック側へスライド操作するとラックが移動してストッパねじがロック位置に締め込まれる。ストッパねじがロック位置に締め込まれると、スライドバーに押し付けられてスライド動作が規制された状態となる。操作部材をアンロック側へスライド操作するとラックが反対側へ移動してストッパねじがアンロック位置に緩められる。ストッパねじが緩められると、スライドバーに対する押し付け状態が解除されてスライド動作が許容される状態となる。
このようにストッパ移動機構としてラック、ピニオン機構を用いることにより、操作部材のスライド操作によってスライド機構をロック、アンロックすることができるので、その操作性をよくすることができる。
請求項５記載の卓上切断機によれば、使用者は操作部材を手元操作すると、これが作動レバーを介してラックに伝達されてストッパ部材が締め込まれ、逆に緩められることによりスライドロック機構がロックされ、逆にアンロックされる。使用者は、手元で操作部材をスライド操作することによりスライドロック機構をロック、アンロックすることができるので、その操作性をよくすることができる。
請求項６記載の卓上切断機によれば、操作部材をロック側にスライド操作するとストッパ部材としてのストッパリングがストッパ移動機構によってロック位置に移動してスライドバーに食い込んだ状態となってスライド機構がロックされて切断機本体のスライド動作が規制される。操作部材をアンロック側にスライド操作すると、ストッパ部材としてのストッパリングがストッパ移動機構によってアンロック位置に移動してスライドバーから離れた状態となってスライド機構がアンロックされて切断機本体のスライド動作が許容される。
請求項７記載の卓上切断機によれば、スライドバーに対する２つのストッパリングの食い込み方向が反対になることから、スライドバーの軸方向について前後両方向のスライド動作が確実に規制され、これにより当該スライド機構をより確実にロックすることができる。
【発明を実施するための最良の形態】
【０００６】
次に、本発明の実施形態を図１〜図８に基づいて説明する。図１は、本実施形態に係る卓上切断機１の全体を示している。図１において、この卓上切断機１の左側に使用者が位置して、当該卓上切断機１について様々な操作を行う。使用者は、切断機本体３０を下方へ傾動させた状態で、図１において左側（手前側）から右側へ移動させることにより切断材Ｗの切断加工が進行する。以下、この切断が進行する方向を単に切断進行方向ともいう。但し、部材等の前後方向については、使用者を基準とする。従って、図１において左側（使用者側）を前側（手前側）とし、右側を後側とする。また、部材等の左右方向についても使用者から見た方向を基準として用いる。
この卓上切断機１は、切断材Ｗを載置するためのテーブル２と、このテーブル２を水平回転可能に支持するベース３と、テーブル２の後部側（図１において右部）に左右傾斜支持機構５と上下二段のスライド機構１０，２０を介して支持された切断機本体３０を備えている。本実施形態に係る卓上切断機１は、下側のスライド機構１０をロックするスライドロック機構５０に特徴を有しており、その他の基本的な構成については従来と同様で足りるので以下簡単に説明する。
【０００７】
切断材Ｗが載置されるテーブル２は、ベース３の上面に水平回転可能に支持されている。このテーブル２の上面には、切断材Ｗをテーブル面方向に位置決めするための位置決めフェンス６が設けられている。このテーブル２の手前側には、使用者側に向かって突き出す状態で延長部２ａが設けられている。この延長部２ａの上面とテーブル２の上面に跨って、鋸刃逃がし用の刃口が形成された刃口板２ｂが取り付けられている。
延長部２ａの手前側端部には、使用者がテーブル回転操作時に把持するグリップ７と、上下に傾動操作するレバー８が設けられている。グリップ７とレバー８は、２系統のテーブルストッパ機構を構成している。このテーブルストッパ機構については従来公知の技術であるので詳細な説明は省略するが、テーブル２の回転位置をストッパボルトを突き当てて任意の位置で固定する第１系統のストッパ機構と、予め一定の角度位置に設けたストッパ孔にストッパロッドを進入させてテーブル２を一定の角度位置で位置決めする第２系統のストッパ機構を備えている。グリップ７は、第１系統のストッパボルトに取り付けられている。このグリップ７をねじ締め方向に回転操作するとストッパボルトがテーブル２の周面に突き当てられて当該テーブル２を任意の角度位置で固定することができる。一方、レバー８は、第２系統のストッパロッドに連係されている。レバー８を下方のアンロック位置へ傾動操作すると、ストッパロッドがストッパ孔から抜き出されてテーブル２を回転可能な状態となり、下方への傾動操作を止めるとこのレバー８は上方のロック位置に戻されてストッパロッドがストッパ孔に進入してテーブル２が一定の角度位置にロックされる。このようにテーブル２の延長部２ａの後端部であって使用者に最も近い部位に配置されたグリップ７及びレバー８を操作することによってテーブル２を任意若しくは一定の角度位置に位置決めすることができる。
【０００８】
下側のスライド機構１０は、テーブル２の下面側に相互に平行に支持された２本のスライドバー１１，１１を主体とするもので、この両スライドバー１１，１１の後端部に左右傾動支持機構５が支持されている。この左右傾動支持機構５は、両スライドバー１１，１１の後端部に取り付けられた傾動固定部材５ａと、この傾動固定部材５ａに対して左右傾動支軸（図示省略）を介して回動可能に結合された傾動部材５ｂを備えている。左右傾動支軸の軸線は、切断進行方向に一致しており、かつテーブル２の上面（切断材Ｗの載置面）に一致している。傾動部材５ｂの後部には固定レバー５ｃが設けられている。この固定レバー５ｃをロック側に締め込むと、傾動固定部材５ａに対する傾動部材５ｂの傾動動作が固定されて切断機本体３０の左右傾動位置が固定される。固定レバー５ｃをアンロック側に緩めると、切断機本体３０を左右に傾動可能な状態となる。切断機本体３０を左方若しくは右方に一定角度傾斜させることにより、いわゆる傾斜切りを行うことができる。
傾動部材５ｂの上部に上側のスライド機構２０が支持されている。上側のスライド機構２０も、相互に平行に支持された２本のスライドバー２１，２１を主体とするもので、それぞれ傾動部材５ｂの上部に取り付けた軸受け部２２を介して前後方向にスライド自在に支持されている。この上側のスライド機構２０による切断機本体３０のスライド位置は、軸受け部２２の側部に設けたストッパねじ２３を締め込むことによって任意のスライド位置で固定することができる。
両スライドバー２１，２１の前部に、上下傾動ブラケット３２が取り付けられている。この上下傾動ブラケット３２に設けた上下傾動支軸３１を介して切断機本体３０が上下に傾動可能に支持されている。切断機本体３０は上側へ傾動する方向にばね付勢されている。
切断機本体３０は、電動モータ３８を駆動源として回転する円形の鋸刃３３を備えている。鋸刃３３の上部はブレードケース３４に覆われている。鋸刃３３の下部は、開閉可能な可動カバー３５に覆われている。この可動カバー３５は、切断機本体３０の上下動作に連動して開閉される。ブレードケース３４の後部に本体支持部３６が一体に設けられている。この本体支持部３６の先端部が、上記上下傾動支軸３１を介して上下傾動ブラケット３２に支持されている。また、ブレードケース３４の上部には、使用者が把持するループ形のハンドル部３７が設けられている。当該卓上切断機１の左側に位置する使用者がハンドル部３７を把持し、その内周側に設けたトリガ形式のスイッチレバーを指先で引き操作すると電動モータ３８が起動して鋸刃３３が回転する。また、使用者はハンドル部３７を把持して当該切断機本体３０を下方へ傾動させると、これに連動して可動カバー３５が開かれて鋸刃３３の下部が露出され、この露出部分を上方から押し付けることにより切断材Ｗを切断加工することができる。
【０００９】
切断機本体３０は、上記した上下二段のスライド機構１０，２０によって切断進行方向に沿って大きな距離でスライドさせることができる。下側のスライド機構１０の詳細が図２及び図３に示されている。下側スライド機構１０を構成する２本のスライドバー１１，１１は、テーブル２の下面に取り付けた軸受け部１２を介してそれぞれ当該テーブル２に対してテーブル面方向にスライド可能に支持されている。両スライドバー１１，１１の後部は、テーブル２の後方に突き出されている。突き出し後端部がそれぞれ左右傾動機構５の傾動固定部材５ａに結合されている。両スライドバー１１，１１の前端部は結合部材１３によって相互に一体に結合されている。このように両スライドバー１１，１１は相互に一体で切断進行方向に沿ってスライドする。
両スライドバー１１，１１のスライド位置ひいては切断機本体３０のスライド位置は、スライドロック機構５０によって任意の位置でロックされる。以下、このスライドロック機構について２つの実施形態を説明する。図２及び図３は、第１実施形態のスライドロック機構５０を示している。この第１実施形態のスライド機構５０は、作動レバー５１とラック５２とピニオンギヤ５３を備えている。
作動レバー５１は、前後に長いレバーで、テーブル２の延長部２ａの右側部に沿ってスライド操作可能に支持されている。この作動レバー５１の前端部（使用者から見て手前側の端部）はＬ字形に折り曲げられて、延長部２ａの側方へ突き出されている。この突き出し部分が使用者が指先で操作する操作部材５１ａとされている。本実施形態の場合、この操作部材５１ａは、延長部２ａの使用者から見て右側の側部であって当該側部の前端寄りに配置されている。このため、使用者は、前記グリップ７及びレバー８に加えて操作部材５１ａについても大きく手を伸ばすことなく摘むことができ、これにより楽な姿勢のまま手元操作で作動レバー５１をスライド操作することができるようになっている。
また、図３に示すようにこの作動レバー５１は、延長部２ａの使用者から見て右側部の内側に沿って配置されている。しかも、一定幅の帯板形状をなすこの作動レバー５１は、延長部２ａの内側に沿ってその幅方向を上下にした向き（板厚方向を延長部２ａの左右方向とする向き）に配置されている。このため、この作動レバー５１は、当該延長部２ａの上面に取り付けた刃口板２ｂの刃口の下方を避けた位置（当該延長部２ａの左右方向にずれた位置）に沿って配置されている。
【００１０】
作動レバー５１の後部側の一定範囲は、その幅方向にＬ字形に屈曲されている。この屈曲範囲は、その面方向をテーブル２の下面に沿わせた向きに配置された支持部５１ｂとされている。この支持部５１ｂには、当該作動レバー５１の操作方向（前後方向）に長い溝孔５１ｃが形成されている。この溝孔５１ｃには、テーブル２の下面に支持された支軸５４が挿通されている。この支軸５４が溝孔５１ｃ内において相対移動可能な範囲で当該作動レバー５１をスライド操作可能となっている。
支持部５１ｂの後部側はさらに幅方向にＬ字形に屈曲されて下方へ張り出している。この下方への張り出し部分の下部にラック５２が取り付けられている。このラック５２は、後方（図２及び図３において右方）に延びている。このラック５２の上面に噛み合い歯が形成されている。このラック５２にピニオンギヤ５３が噛み合わされている。
ピニオンギヤ５３は、ストッパねじ５５を支軸としてテーブル２の下面に回転可能に支持されている。このストッパねじ５５はピニオンギヤ５３と一体で回転する。このため、ラック５２が作動レバー５１のスライド操作により前後方向に沿って進退するとこれに噛み合わされたラック５２が回転してストッパねじ５５が締め込み方向又は緩み方向に回転する。
ストッパねじ５５のねじ部は、軸受け部１２の側部に設けたねじ孔１２ａにねじ込まれている。ねじ孔１２ａにねじ込まれたストッパねじ５５の先端部は、使用者から見て右側のスライドバー１１に突き当てられる。このため、ストッパねじ５５のねじ孔１２ａに対する締め込み量が大きくなるとその先端部がスライドバー１１の周面に強固に突き当てられて当該スライドバー１１のスライド動作が規制され、従って下側の下側スライド機構１０のスライド動作が規制された状態となる。逆に、ストッパねじ５５のねじ孔１２ａに対する締め込みが緩められるとその先端部のスライドバー１１の周面に対する突き当て力が弱められ、若しくはその先端部がスライドバー１１の周面から離間して当該スライドバー１１がスライド可能な状態となり、従って下側のスライド機構１０のスライド動作が許容される状態となる。
【００１１】
以上のように下側スライド機構１０にはスライドロック機構５０が併設されており、係るスライドロック機構５０によれば、使用者が操作部材５１ａを指先でアンロック方向（本実施形態では後側）にスライド操作して作動レバー５１を後側（図２において右側）に移動させると、これと一体でラック５２が同方向に移動してピニオンギヤ５３が図２において反時計回り方向に回転してストッパねじ５５がねじ孔１２ａに対して緩み方向（アンロック位置）に回転し、従ってそのスライドバー１１に対する突き当て力が弱められ、若しくはなくなって下側のスライド機構１０のスライド動作が許容されたアンロック状態となる。
これに対して、使用者が操作部材５１ａを指先でロック側（本実施形態では手前側）にスライド操作して作動レバー５１を手前側（図２において左側）に移動させると、これと一体でラック５２が手前側に移動してピニオンギヤ５３が図２において時計回り方向に回転してストッパねじ５５がねじ孔１２ａに対して締め込み方向（ロック位置）に回転し、従ってそのスライドバー１１に対する突き当て力が強められて下側スライド機構１０のスライド動作が禁止されたスライドロック状態となる。
このことから、第１実施形態のスライドロック機構５０におけるストッパねじ５５が特許請求の範囲に記載したストッパ部材に相当し、主としてラック５２とピニオンギヤ５３が特許請求の範囲に記載したストッパ移動機構５６を構成している。
【００１２】
以上のように構成した第１実施形態に係る卓上切断機１によれば、切断機本体３０は、下側及び上側のスライド機構１０，２０によって切断進行方向に沿って前後に大きくスライドさせることができる。下側のスライド機構１０にはスライドロック機構５０が併設されている。本実施形態に係るスライドロック機構５０は、作動レバー５１の操作部材５１ａを前後方向にスライドさせるレバー操作によりロック、アンロックすることができるので、例えば指先１本でワンタッチ操作することができ、この点で従来ストッパねじを何回も締め付け、あるいは緩め方向に回転してロック、アンロックする構成に比してその操作性を向上させることができる。
また、作動レバー５１の操作部材５１ａが使用者の手元（延長部２ａの手前側端部）に配置されているので、使用者は従来のように例えばテーブル２の後部にまで手を伸ばすことなく楽な姿勢のままで当該作動レバー５１をスライド操作することができ、この点でも操作性を向上させることができる。
以上説明した第１実施形態には種々変更を加えることができる。例えば、作動レバー５１を使用者から見て延長部２ａの右側に沿って配置した構成を例示したが、延長部２ａの幅方向反対側の左側に沿って配置する構成としてもよい。また、延長部２ａの幅方向中央に沿って作動レバーを配置する構成としてもよい。この場合、操作部材（作動レバーの後端部）を延長部２ａの後面に突き出し、この突き出し部分を押し操作し、逆に引き操作することにより作動レバーをスライド操作する構成とすることができる。
さらに、片側のスライドバー１１についてスライドロック機構５０を設ける構成を例示したが、両側のスライドバー１１，１１について同様の構成のスライドロック機構５０をそれぞれ併設し、両スライドロック機構５０，５０を１つの操作部材５１ａでロック、アンロックする構成としてもよい。
【００１３】
次に、第２実施形態の卓上切断機１について説明する。この第２実施形態に係る卓上切断機１は、下側のスライド機構１０の動作をロックするためのスライドロック機構６０について第１実施形態と異なっており、その他の構成については第１実施形態と同様であるので、同位の符号を用いてその説明を省略する。第２実施形態に係るスライドロック機構６０が図４及び図５に示されている。
この第２実施形態のスライドロック機構６０は、２つのストッパリング６５，６５とこれをロック位置とアンロック位置との間で移動させるためのストッパ移動機構８０を備えている。この第２実施形態のストッパ移動機構８０においても作動レバー６１がテーブル２の延長部２ａの使用者から見て右側に沿って前後にスライド可能に配置されている。この作動レバー６１の後端部は、側方へＬ字形に屈曲されて延長部２ａの側部から突き出されており、この突き出し部分が操作部材６１ａとされている。この操作部材６１ａは、第１実施形態と同様、延長部２ａの後端部付近であって使用者の手元に配置されている。
作動レバー６１の前部側は、第１実施形態と同様幅方向にＬ字形に折り曲げられて支持部６１ｂが設けられている。この支持部６１ｂには、前後に長い溝孔６１ｃが形成されている。この溝孔６１ｃには、テーブル２の下面に支持された支軸６２が挿通されている。この支軸６２が溝孔６１ｃ内において相対的に変位可能な範囲で、当該作動レバー６１が前後にスライド操作可能となっている。
支持部６１ｂの前部には、前記第１実施形態におけるラック５２とは異なって作動アーム部６３が前方へさらに延びる状態で一体に設けられている。使用者の操作部材６１ａのスライド操作に伴う当該作動アーム部６３の移動によって２つのストッパリング６５，６５がロック位置とアンロック位置との間を移動する。この２つのストッパリング６５，６５及びその周辺の構造が図６〜図８に示されている。図６に示すように作動アーム部６３の前端部側（図６において右端部側）には、１つの係合凸部６３ａが上方へ向かって（テーブル２の下面に向かって）突き出す状態で設けられている。
【００１４】
一方、テーブル２の下面に設けた軸受け部１２には、保持枠部６８が一体に設けられている。この保持枠部６８には、使用者から見て右側のスライドバー１１が貫かれている。この保持枠部６８内において、スライドバー１１に前記した２つのストッパリング６５，６５が装着されている。図示するように２つのストッパリング６５，６５には、円環形のリングが用いられている。両ストッパリング６５，６５の内周側にスライドバー１１が挿通されている。両ストッパリング６５，６５の内径は、スライドバー１１の外径よりも十分に大きな寸法に設定されている。このため、図７に示すように両ストッパリング６５，６５はその軸線をスライドバー１１の軸線に対して一致若しくはほぼ一致させたアンロック位置と、図８に示すように一定角度傾斜させたロック位置との間で傾動可能に装着されている。
両ストッパリング６５，６５間においてスライドバー１１の周囲には１つの圧縮ばね７０が介装されている。この圧縮ばね７０によって両ストッパリング６５，６５が相互に平行であってそれぞれスライドバー１１の軸線に対して同軸若しくはほぼ同軸となるアンロック位置に付勢されている。逆に、この圧縮ばね７０に抗して両ストッパリング６５，６５がロック位置に傾動する。
両ストッパリング６５，６５には、それぞれ係合ピン６６と支持ピン６７が取り付けられている。両ストッパリング６５，６５のそれぞれにおいて、この係合ピン６６と支持ピン６７は、当該ストッパリング６５の周方向に相互に対向する位置に配置されている。係合ピン６６と支持ピン６７は、それぞれ放射方向に沿ってストッパリング６５の外周面から大きな寸法突き出し、かつ内周面から僅かな寸法突き出した状態に固定されている。係合ピン６６と支持ピン６７は、相互に同軸に配置されている。
両ストッパリング６５，６５の係合ピン６６，６６は、それぞれ切り換えブロック体６９の切り換え溝６９ａに挿入されている。両ストッパリング６５，６５の支持ピン６７，６７は、それぞれ保持枠部６８の内面に設けた保持孔６８ａに挿入されている。
【００１５】
図６に示すように切り換えブロック体６９は、その上面に設けた支軸部６９ｃを介して保持枠部６８に上下に平行移動可能に支持されている。この支軸部６９ｃの周囲であって切り換えブロック体６９の上面と保持枠部６８の上部との間には圧縮ばね７１が介装されている。この圧縮ばね７１によって切り換えブロック体６９は下方へ変位する方向に付勢されている。この切り換えブロック体６９の下面側には前記した作動アーム部６３が当接されている。作動アーム部６３は、支持板７２によって下方から受けられて変位しないようになっている。支持板７２は、支軸部６９ｃによって下方への変位が規制されている。このため、切り換えブロック体６９は、圧縮ばね７１によって作動アーム部６３に押し付けられている。前記したように作動アーム部６３には、係合凸部６３ａが設けられている。一方、切り換えブロック体６９の下面には、係合凹部６９ｂが設けられている。図６において実線で示すように作動アーム部６３が使用者から見て手前側（図６において左側のロック位置）へ移動した状態では、係合凸部６３ａが係合凹部６９ｂに嵌り込んだ状態となる。このため、切り換えブロック体６９が圧縮ばね７１によって下側へ変位した状態となっている。これに対して図６において二点鎖線で示すように作動アーム部６３が後側（図６において右側のアンロック位置）へ移動した状態では、係合凸部６３ａが係合凹部６９ｂから外れた状態となる。このため、切り換えブロック体６９は、図６中二点鎖線で示すように係合凸部６３ａの高さ分だけ圧縮ばね７１に抗して上側へ変位する。
こうして切り換えブロック体６９が上下に変位することにより、２つのストッパリング６５，６５がロック位置又はアンロック位置に移動する。両ストッパリング６５，６５のそれぞれの係合ピン６６は、切り換えブロック体６９に設けた切り換え溝６９ａに挿入されている。図６〜図８に示すようにこの切り換え溝６９ａ，６９ａは、切り換えブロック体６９の内面側（ストッパリング６５，６５側の面）に支軸部６９ｃに対して左右対称に設けられている。両切り換え溝部６９ａ，６９ａは、それぞれ上下に沿って延びる縦部６９ａａとこの縦部６９ａａの上部から斜め上方へ延びる傾斜部６９ａｂを有している。両切り換え溝部６９ａ，６９ａの傾斜部６９ａｂ，６９ａｂは相互に接近する方向（ハの字形）に延びている。
【００１６】
両ストッパリング６５，６５が圧縮ばね７０によって相互に離間する方向に付勢されている結果、それらの係合ピン６６，６６も相互に離間する方向に付勢されている。このため、作動アーム部６３がアンロック側に移動して切り換えブロック体６９が図６において二点鎖線で示すアンロック位置（上側の位置）に位置する状態では、両係合ピン６６，６６が圧縮ばね７０の付勢力によって相互に離間してそれぞれ縦部６９ａａの上部に位置する。この状態では、図７に示すように両ストッパリング６５，６５の軸線がスライドバー１１の軸線に一致し、若しくはほぼ一致した状態となるため、両ストッパリング６５，６５の係合ピン６６，６６及び支持ピン６７，６７がスライドバー１１に押圧されない（接触しない）状態となる。スライドバー１１に対して係合ピン６６，６６及び支持ピン６７，６７が押圧されないため、当該スライドバー１１のスライド動作が許容されて下側のスライド機構１０がアンロック状態となる。
これに対して、作動レバー部６３を図６中実線で示すロック位置に移動させると、その係合凸部６３ａが切り換えブロック体６９の係合凹部６９ｂの下側に変位して嵌り込み可能となる結果、当該切り換えブロック体６９が圧縮ばね７１によって図６中実線で示す下側のロック位置に移動する。切り換えブロック体６９がロック位置に移動すると、両係合ピン６６，６６がそれぞれ切り換え溝部６９ａの傾斜部６９ａｂによる傾斜作用によって相互に接近する方向に変位する。両係合ピン６６，６６の相互に接近する方向への変位ひいてはストッパリング６５，６５の傾き動作は、圧縮ばね７０の付勢力に抗してなされる。
図８に示すように両ストッパリング６５，６５の係合ピン６６，６６が相互に接近する方向に変位すると、両ストッパリング６５，６５がスライドバー１１に対して傾く（軸線を傾斜させる）ため、それぞれの内周側に僅かに突き出した係合ピン６６，６６及び支持ピン６７，６７の先端角部がスライドバー１１の周面に押し付けられる。前記したように切り換えブロック体６９は圧縮ばね７１によって下側（ロック側）に付勢されている。このため、係合ピン６６，６６の先端角部は、上記圧縮ばね７１の間接作用によってスライドバー１１の周面に食い込むように押し付けられる。一方、支持ピン６７，６７は圧縮ばね７０の付勢力が直接作用することによって同じくスライドバー１１の周面に食い込むように押し付けられる。
【００１７】
このようにスライドバー１１の周面に係合ピン６６，６６及び支持ピン６７，６７の先端角部がばね付勢力によって食い込むように押し付けられることにより、そのスライド動作が規制されて下側のスライドロック機構１０がロック状態となる。
図８において矢印で示すように、両ストッパリング６５，６５の係合ピン６６，６６はスライドバー１１の移動方向について相互に反対側から食い込まれ、また支持ピン６７，６７もスライドバー１１の移動方向について相互に反対側から食い込まれる。このため、このスライドロック状態では、スライドバー１１の両方向へのスライド動作が強固にロックされる。
作動アーム部６３の移動は、使用者が手元操作により操作部材６１ａを前後方向にスライド操作することによりなされる。使用者が操作部材６１ａを後側へスライド操作すると、作動アーム部６３が同方向へ一体で移動して下側のスライド機構１０がアンロック状態となる。
これとは逆に、使用者が操作部材６１ａを手前側にスライド操作すると、作動アーム部６３が同方向へ一体で移動して切り換えブロック体６９が下側へ移動し、従って両ストッパリング６５，６５が傾いて下側スライド機構１０がロック状態となる。
【００１８】
以上のように構成した第２実施形態の卓上切断機１に係るスライドロック機構６０によれば、作動レバー６１の操作部材６１ａを前後方向にスライドさせるレバー操作によって下側のスライド機構１０をロック、アンロックすることができる。このため、第１実施形態と同様、使用者は操作部材６１ａを例えば指先１本のワンタッチ操作で下側のスライド機構１０をロック、アンロック操作することができ、この点で従来ストッパねじを何回も締め付け、あるいは緩め方向に回転操作してロック、アンロックする構成に比してその操作性を向上させることができる。
また、第１実施形態と同様作動レバー６１の操作部材６１ａが使用者の手元（延長部２ａの手前側端部）に配置されているので、使用者は従来のように例えばテーブル２の前部にまで手を伸ばした窮屈な姿勢でストッパねじを何回も回転操作するといった手間を掛けることなく楽な姿勢のままで手元操作により作動レバー６１をスライド操作すればロック、アンロックすることができ、この点でも操作性をよくすることができる。
さらに、第２実施形態の場合、ストッパリング６５，６５を直接スライドバー１１に押し付けるのではなく、これよりもスライドバー軸線方向の幅（径）が小さな係合ピン６６，６６及び支持ピン６７，６７を押し付けてスライドロックする構成であるので、スライドバー１１に対してより大きな食い込み力を得ることができ、ひいては当該スライドロック機構６０のより強固なスライドロック力を得ることができる。
しかも、第２実施形態の場合、２つのストッパリング６５，６５がスライドバー１１の軸線方向について相互に反対側（ハの字形）に傾けられる構成であるので、係合ピン６６，６６相互、及び支持ピン６７，６７相互がそれぞれ同軸線方向について反対側からスライドバー１１に押圧されて食い込むこととなり、これによりスライドバー１１の両方向のスライド動作について強固なスライドロックがなされるようになっている。
【００１９】
以上説明した第２実施形態についても様々な変更を加えることができる。例えば、２つのストッパリング６５，６５を用いる構成を例示したが、１つのストッパリングで実施することもできる。また、２つのストッパリング６５，６５をスライドバー１１の軸線方向について相互に反対側に傾けてスライドロックする構成を例示したが、同じ方向に傾けてスライドロックする構成としてもよい。
さらに、ストッパリング６５，６５を直接スライドバー１１に食い込ませるのではなく、これに取り付けた係合ピン６６，６６及び支持ピン６７，６７を食い込ませる構成を例示したが、これら各ピン６５，６６の内周側へ突き出す部分を省略してストッパリング６５，６５を直接スライドバー１１に押圧してスライドロックする構成とすることもできる。
また、作動レバー６１を使用者から見て延長部２ａの右側に沿って配置した構成を例示したが、延長部２ａの幅方向反対側の左側に沿って配置する構成としてもよく、また、延長部２ａの幅方向中央に沿って作動レバーを配置する構成としてもよい。さらに、片側のスライドバー１１についてスライドロック機構６０を設ける構成を例示したが、両側のスライドバー１１，１１について同様の構成のスライドロック機構５０をそれぞれ併設し、両スライドロック機構６０，６０を１つの操作部材６１ａでロック、アンロックする構成としてもよい。
さらに、第１及び第２実施形態では、操作部材５１ａ，６１ａのスライド操作（レバー操作）として前後方向に平行移動させることによりロック、アンロックする構成を例示したが、操作部材のスライド操作方向については、例えばリンク機構を介在させる等して円弧移動させるレバー操作あるいは傾動させるレバー操作とすることもできる。
また、第１及び第２実施形態では、上下二段のスライド機構を備えた卓上切断機を例示したが、下側１段のみのスライド機構を備えたタイプの卓上切断機についても同様に適用することができる。さらに、左右傾斜支持機構５を備えることにより切断機本体３０を切断進行方向に対して左右に傾動させていわゆる傾斜切りを行うことができるタイプの卓上切断機を例示したが、係る左右傾斜支持機構５を備えない直角切り専用の卓上切断機についても同様に適用することができる。
【図面の簡単な説明】
【００２０】
【図１】本発明の実施形態に係るスライドロック機構を備えた卓上形のスライド丸鋸盤の全体側面図である。
【図２】テーブルの縦断面図であって、第１実施形態のスライドロック機構の側面図である。本図では切断機本体の図示が省略されている。
【図３】テーブルの下面図であって、第１実施形態のスライドロック機構の下面図である。
【図４】テーブルの縦断面図であって、第２実施形態のスライドロック機構の側面図である。本図では切断機本体の図示が省略されている。
【図５】テーブルの下面図であって、第２実施形態のスライドロック機構の下面図である。
【図６】図４の(VI)部拡大図である。本図は、第２実施形態のスライドロック機構のロック状態を示している。
【図７】第２実施形態のスライドロック機構の縦断面を下面側から見た図である。本図は、アンロック状態を示している。
【図８】図５の(VIII)部拡大図であって、第２実施形態のスライドロック機構の縦断面を下面側から見た図である。本図は、ロック状態を示している。
【符号の説明】
【００２１】
Ｗ…切断材
１…卓上切断機
２…テーブル、２ａ…延長部、２ｂ…刃口板
３…ベース
５…左右傾動支持機構
１０…下側のスライド機構
１１…スライドバー
１２…軸受け部、１２ａ…ねじ孔
２０…上側のスライド機構
２１…スライドバー
２２…軸受け部
２３…ストッパねじ
３０…切断機本体
３１…上下傾動支軸
３３…鋸刃
５０…スライドロック機構（第１実施形態）
５１…作動レバー、５１ａ…操作部材
５２…ラック
５３…ピニオンギヤ
５５…ストッパねじ
５６…ストッパ移動機構（第１実施形態）
６０…スライドロック機構（第２実施形態）
６１…作動レバー、６１ａ…操作部材
６３…作動アーム部、６３ａ…係合凸部
６５…ストッパリング（ストッパ部材）
６６…係合ピン
６７…支持ピン
６８…保持枠部、６８ａ…保持孔
６９…切り換えブロック体
６９ａ…切り換え溝、６９ａａ…縦部、６９ａｂ…傾斜部
６９ｂ…係合凹部、６９ｃ…支軸部
７０…圧縮ばね
７１…圧縮ばね
７２…支持板
８０…ストッパ移動機構（第２実施形態）
【図１】
2010017828.tif 000003
【図２】
2010017828.tif 000004
【図３】
2010017828.tif 000005
【図４】
2010017828.tif 000006
【図５】
2010017828.tif 000007
【図６】
2010017828.tif 000008
【図７】
2010017828.tif 000009
【図８】
2010017828.tif 000010